(57)【特許請求の範囲】
【請求項１】
画像情報を記憶する記憶手段と、
前記記憶手段から前記画像情報を読み出して記憶する第１の記憶手段と、この第１の記憶手段に記憶された前記画像情報を読み出して第１の処理を行う第１の処理手段とを含み、前記第１の記憶手段に記憶された前記画像情報が前記第１の処理手段により前記第１の処理が行われた後、前記第１の記憶手段が第１の読み出し要求を出力する第１のブロックと、
前記記憶手段から前記画像情報を読み出して記憶する第２の記憶手段と、この第２の記憶手段に記憶された前記画像情報を読み出して第２の処理を行う第２の処理手段とを含み、前記第２の記憶手段に記憶された前記画像情報が前記第２の処理手段により前記第２の処理が行われた後、前記第２の記憶手段が第２の読み出し要求を出力する第２のブロックと、
前記第１の記憶手段から前記第１の読み出し要求が出力され、かつ前記第２の記憶手段から前記第２の読み出し要求が出力された場合に、前記記憶手段から前記画像情報を前記第１及び第２の記憶手段に転送させる調停手段と、
を備えることを特徴とする画像処理装置。
【請求項２】
前記第１の記憶手段は、前記第１の処理手段が前記第１の処理を行うことによって記憶していた前記画像情報の処理が終了した場合、前記第１の処理手段に対して読み出し禁止を通知し、
前記第２の記憶手段は、前記第２の処理手段が前記第２の処理を行うことによって記憶していた前記画像情報の処理が終了した場合、前記第２の処理手段に対して読み出し禁止を通知することを特徴とする請求項１記載の画像処理装置。
【請求項３】
前記調停手段は、前記第１の記憶手段から前記第１の読み出し要求が出力されると、前記第１の処理手段に対して前記第１の記憶手段からの読み出しを禁止する通知を行い、前記第２の記憶手段から前記第２の読み出し要求が出力されると、前記第２の処理手段に対して前記第２の記憶手段からの読み出しを禁止する通知を行うことを特徴とする請求項１記載の画像処理装置。
【請求項４】
画像情報を記憶する記憶手段と、
前記記憶手段から前記画像情報を読み出して記憶する第１の記憶手段と、この第１の記憶手段に記憶された前記画像情報を読み出して第１の処理を行う第１の処理手段とを含み、前記第１の記憶手段に記憶された前記画像情報が前記第１の処理手段により前記第１の処理が行われた後、前記第１の記憶手段が第１の読み出し要求を出力する第１のブロックと、
前記記憶手段から前記画像情報を読み出して記憶する第２の記憶手段と、この第２の記憶手段に記憶された前記画像情報を読み出して第２の処理を行う第２の処理手段とを含み、前記第２の記憶手段に記憶された前記画像情報が前記第２の処理手段により前記第２の処理が行われた後、前記第２の記憶手段が第２の読み出し要求を出力する第２のブロックと、
…      …、
前記記憶手段から前記画像情報を読み出して記憶する第ｎ（ｎは３以上の整数）の記憶手段と、この第ｎの記憶手段に記憶された前記画像情報を読み出して第ｎの処理を行う第ｎの処理手段とを含み、前記第ｎの記憶手段に記憶された前記画像情報が前記第ｎの処理手段により前記第ｎの処理が行われた後、前記第ｎの記憶手段が第ｎの読み出し要求を出力する第ｎのブロックと、
前記第１、第２、…、第ｎの記憶手段のうち、少なくとも二つ以上から前記読み出し要求が出力された場合に、この読み出し要求を出力した記憶手段に前記記憶手段から前記画像情報を転送させる調停手段と、
を備えることを特徴とする画像処理装置。
【請求項５】
第１の画像情報及び第２の画像情報を記憶する記憶手段と、
前記記憶手段から前記第１の画像情報を読み出して記憶する第１の画像情報記憶手段と、
前記記憶手段から前記第２の画像情報を読み出して記憶する第２の画像情報記憶手段と、
前記第１の画像情報記憶手段から前記第１の画像情報を読み出して記憶する第１の記憶手段と、この第１の記憶手段に記憶された前記第１の画像情報を読み出して第１の処理を行う第１の処理手段とを含み、前記第１の記憶手段に記憶された前記第１の画像情報が前記第１の処理手段により前記第１の処理が行われた後、前記第１の記憶手段が第１の読み出し要求を出力する第１のブロックと、
前記第２の画像情報記憶手段から前記第２の画像情報を読み出して記憶する第２の記憶手段と、この第２の記憶手段に記憶された前記第２の画像情報を読み出して第２の処理を行う第２の処理手段とを含み、前記第２の記憶手段に記憶された前記第２の画像情報が前記第２の処理手段により前記第２の処理が行われた後、前記第２の記憶手段が第２の読み出し要求を出力する第２のブロックと、
前記第１の画像情報記憶手段から前記第１の画像情報を読み出して記憶する第３の記憶手段と、この第３の記憶手段に記憶された前記第１の画像情報を読み出して第３の処理を行い出力する第３の処理手段とを含み、前記第３の記憶手段に記憶された前記第１の画像情報が前記第３の処理手段により前記第３の処理が行われた後、前記第３の記憶手段が第３の読み出し要求を出力する第３のブロックと、
前記第２の画像情報記憶手段から前記第２の画像情報を読み出して記憶する第４の記憶手段と、この第４の記憶手段に記憶された前記第２の画像情報を読み出して第４の処理を行い出力する第４の処理手段とを含み、前記第４の記憶手段に記憶された前記第２の画像情報が前記第４の処理手段により前記第４の処理が行われた後、前記第４の記憶手段が第４の読み出し要求を出力する第４のブロックと、
前記第１、第２の処理手段からの出力の位相差を検出して第１の位相差検出信号を出力する第１の位相差検出手段と、
前記第３、第４の処理手段からの出力の位相差を検出して第２の位相差検出信号を出力する第２の位相差検出手段と、
前記第１の位相差検出信号に基づいて前記第１、第２の読み出し要求の受け付けの有無を判断し、前記第２の位相差検出信号に基づいて前記第３、第４の読み出し要求の受け付けの有無を判断し、これにより前記第１の画像情報記憶手段から前記第１及び第３の記憶手段への前記第１の画像情報の転送のタイミングを制御し、前記第２の画像情報記憶手段から前記第２及び第４の記憶手段への前記第２の画像情報の転送のタイミングを制御する調停手段と、
を備えることを特徴とする画像処理装置。
【請求項６】
前記調停手段は、
前記第１の位相差検出信号が、前記第１の処理が前記第２の処理より進んでいることを示す場合、前記第２の読み出し要求があったときこの要求を受け付け、第２の処理が前記第１の処理より進んでいることを示す場合、前記第１の読み出し要求があったときこの要求を受け付け、前記第１及び第２の処理が同時に進んでいることを示す場合、前記第１及び／又は第２の読み出し要求があったときこの要求を受け付け、
前記第２の位相差検出信号が、前記第３の処理が前記第４の処理より進んでいることを示す場合、前記第４の読み出し要求があったときこの要求を受け付け、第４の処理が前記第３の処理より進んでいることを示す場合、前記第３の読み出し要求があったときこの要求を受け付け、前記第３及び第４の処理が同時に進んでいることを示す場合、前記第３及び／又は第４の読み出し要求があったときこの要求を受け付けることを特徴とする請求項５記載の画像処理装置。
【請求項７】
第１、第２、…、第ｍ（ｍは３以上の整数）の画像情報を記憶する記憶手段と、
前記記憶手段から前記第１の画像情報を読み出して記憶する第１の画像情報記憶手段と、
前記記憶手段から前記第２の画像情報を読み出して記憶する第２の画像情報記憶手段と、
…      …、
前記記憶手段から前記第ｍの画像情報を読み出して記憶する第ｍの画像情報記憶手段と、
第１のフィルタであって、
前記第１の画像情報記憶手段から前記第１の画像情報を読み出して記憶する第１１の記憶手段と、この第１の記憶手段に記憶された前記第１の画像情報を読み出して第１１の処理を行う第１１の処理手段とを含み、前記第１１の記憶手段に記憶された前記第１の画像情報が前記第１１の処理手段により前記第１１の処理が行われた後、前記第１１の記憶手段が第１１の読み出し要求を出力する第１１のブロックと、
前記第２の画像情報記憶手段から前記第２の画像情報を読み出して記憶する第１２の記憶手段と、この第１２の記憶手段に記憶された前記第２の画像情報を読み出して第１２の処理を行う第１２の処理手段とを含み、前記第１２の記憶手段に記憶された前記第２の画像情報が前記第１２の処理手段により前記第１２の処理が行われた後、前記第１２の記憶手段が第１２の読み出し要求を出力する第１２のブロックと、
…      …、
前記第ｍの画像情報記憶手段から前記第ｍの画像情報を読み出して記憶する第１ｍの記憶手段と、この第１ｍの記憶手段に記憶された前記第ｍの画像情報を読み出して第１ｍの処理を行う第１ｍ処理手段とを含み、前記第１ｍの記憶手段に記憶された前記第ｍの画像情報が前記第１ｍの処理手段により前記第１ｍの処理が行われた後、前記第１ｍの記憶手段が第１ｍの読み出し要求を出力する第１ｍのブロックとを有する、前記第１のフィルタと、
第２のフィルタであって、
前記第１の画像情報記憶手段から前記第１の画像情報を読み出して記憶する第２１の記憶手段と、この第２１の記憶手段に記憶された前記第１の画像情報を読み出して第２１の処理を行う第２１の処理手段とを含み、前記第２１の記憶手段に記憶された前記第１の画像情報が前記第２１の処理手段により前記第２１の処理が行われた後、前記第２１の記憶手段が第２１の読み出し要求を出力する第２１のブロックと、
前記第２の画像情報記憶手段から前記第２の画像情報を読み出して記憶する第２２の記憶手段と、この第２２の記憶手段に記憶された前記第２の画像情報を読み出して第２２の処理を行う第２２の処理手段とを含み、前記第２２の記憶手段に記憶された前記第２の画像情報が前記第２２の処理手段により前記第２２の処理が行われた後、前記第２２の記憶手段が第２２の読み出し要求を出力する第２２のブロックと、
…      …、
前記第ｍの画像情報記憶手段から前記第ｍの画像情報を読み出して記憶する第２ｍの記憶手段と、この第２ｍの記憶手段に記憶された前記第ｍの画像情報を読み出して第２ｍの処理を行う第２ｍ処理手段とを含み、前記第２ｍの記憶手段に記憶された前記第ｍの画像情報が前記第２ｍの処理手段により前記第２ｍの処理が行われた後、前記第２ｍの記憶手段が第２ｍの読み出し要求を出力する第２ｍのブロックとを有する、前記第２のフィルタと、
…、      …、
第ｐ（ｐは３以上の整数）のフィルタであって、
前記第１の画像情報記憶手段から前記第１の画像情報を読み出して記憶する第ｐ１の記憶手段と、この第ｐ１の記憶手段に記憶された前記第１の画像情報を読み出して第ｐ１の処理を行う第ｐ１の処理手段とを含み、前記第ｐ１の記憶手段に記憶された前記第１の画像情報が前記第ｐ１の処理手段により前記第ｐ１の処理が行われた後、前記第ｐ１の記憶手段が第ｐ１の読み出し要求を出力する第ｐ１のブロックと、
前記第２の画像情報記憶手段から前記第２の画像情報を読み出して記憶する第ｐ２の記憶手段と、この第ｐ２の記憶手段に記憶された前記第２の画像情報を読み出して第ｐ２の処理を行う第ｐ２の処理手段とを含み、前記第ｐ２の記憶手段に記憶された前記第２の画像情報が前記第ｐ２の処理手段により前記第ｐ２の処理が行われた後、前記第ｐ２の記憶手段が第ｐ２の読み出し要求を出力する第ｐ２のブロックと、
…      …、
前記第ｍの画像情報記憶手段から前記第ｍの画像情報を読み出して記憶する第ｐｍの記憶手段と、この第ｐｍの記憶手段に記憶された前記第ｍの画像情報を読み出して第ｐｍの処理を行う第ｐｍ処理手段とを含み、前記第ｐｍの記憶手段に記憶された前記第ｍの画像情報が前記第ｐｍの処理手段により前記第ｐｍの処理が行われた後、前記第ｐｍの記憶手段が第ｐｍの読み出し要求を出力する第ｐｍのブロックとを有する、前記第ｐのフィルタと、
前記第１のフィルタに対応して設けられ、前記第１１、第１２、…、第１ｍの処理手段からの出力の位相差を検出して第１の位相差検出信号を出力する第１の位相差検出手段と、
前記第２のフィルタに対応して設けられ、前記第２１、第２２、…、第２ｍの処理手段からの出力の位相差を検出して第２の位相差検出信号を出力する第２の位相差検出手段と、
…        …、
前記第ｐのフィルタに対応して設けられ、前記第ｐ１、第ｐ２、…、第ｐｍの処理手段からの出力の位相差を検出して第ｐの位相差検出信号を出力する第ｐの位相差検出手段と、
前記第１の位相差検出信号に基づいて前記第１１、第１２、…、第１ｍの読み出し要求の受け付けの有無を判断し、前記第２の位相差検出信号に基づいて前記第２１、第２２、…、第２ｍの読み出し要求の受け付けの有無を判断し、…、前記第ｐの位相差検出信号に基づいて前記第ｐ１、第ｐ２、…、第ｐｍの読み出し要求の受け付けの有無を判断し、これにより前記第１の画像情報記憶手段から前記第１１、第２１、…、第ｐ１の記憶手段への前記第１の画像情報の転送のタイミングを制御し、前記第２の画像情報記憶手段から前記第１２、第２２、…、第ｐ２の記憶手段への前記第２の画像情報の転送のタイミングを制御し、…、前記第ｍの画像情報記憶手段から前記第１ｍ、第２ｍ、…、第ｐｍの記憶手段への前記第ｍの画像情報の転送のタイミングを制御する調停手段と、
を備えることを特徴とする画像処理装置。
【請求項８】
前記調停手段は、
前記第１１、第１２、…、第１ｍの処理のうち、前記第１の位相差検出信号が示す位相が１番進んでいるものからｊ（ｊは２以上でｍ−１以下の整数）番目までのものに対応する記憶手段からの読み出し要求は受け付けず、他の記憶手段からの読み出し要求は受け付け、
前記第２１、第２２、…、第２ｍの処理のうち、前記第２の位相差検出信号が示す位相が１番進んでいるものからｊ番目までのものに対応する記憶手段からの読み出し要求は受け付けず、他の記憶手段からの読み出し要求は受け付け、
…      …、
前記第ｐ１、第ｐ２、…、第ｐｍの処理のうち、前記第ｐの位相差検出信号が示す位相が１番進んでいるものからｊ番目までのものに対応する記憶手段からの読み出し要求は受け付けず、他の記憶手段からの読み出し要求は受け付けることを特徴とする請求項７記載の画像処理装置。
【請求項９】
画像情報を記憶手段に記憶するステップと、
前記記憶手段から前記画像情報を読み出して第１の記憶手段に記憶するステップと、
この第１の記憶手段に記憶された前記画像情報を読み出して第１の処理を行うステップと、
前記第１の記憶手段に記憶された前記画像情報が前記第１の処理手段により前記第１の処理が行われた後、第１の読み出し要求を出力するステップと、
前記記憶手段から前記画像情報を読み出して第２の記憶手段に記憶するステップと、
この第２の記憶手段に記憶された前記画像情報を読み出して第２の処理を行うステップと、
前記第２の記憶手段に記憶された前記画像情報が前記第２の処理手段により前記第２の処理が行われた後、第２の読み出し要求を出力するステップと、
前記第１及び第２の読み出し要求が出力された場合に、前記記憶手段から前記画像情報を前記第１及び第２の記憶手段に転送させるステップと、
を備えることを特徴とする画像処理方法。
【発明の詳細な説明】
【０００１】
【発明の属する技術分野】
本発明は、画像処理方法及びその装置に関する。
【０００２】
【従来の技術】
２０００年１２月１日より、日本においてＭＰＥＧ２を用いたＢＳデジタル放送が開始された。ＢＳデジタル放送では、ハイビジョン放送(以下、ＨＤ放送という)が可能であり、受信機の機能としてＨＤ放送の表示及びＶＣＲ（Video Cassette Recorder）用のNTSC出力への変換、即ちハイビジョン画像を標準ＮＴＳＣ信号へダウンコンバートするスケーリング処理が必要となる。
【０００３】
このため、受信機の信号処理回路としては、ＭＰＥＧ２のフォーマットで送られてきたストリームからＨＤ画像をデコードし、受信機が表示できるフォーマットに変換する第1のスケーリングフィルタ処理と、ＶＣＲ出力を行うためＨＤ画像をダウンコンバートする第２のスケーリングフィルタ処理とが必要になる。
【０００４】
図１１に、ＢＳデジタル放送受信機の一部であって、デコード画像のスケーリングを行うスケーリング処理部の構成を示す。
【０００５】
ＳＤＲＡＭ１にデコードした画像データが格納されており、必要に応じて第1のスケーリングフィルタ部３及び第２のスケーリングフィルタ部６がＳＤＲＡＭ１から画像データを読み出す。
【０００６】
ここで、第１のリードバッファ２及び第２のリードバッファ５は、第１及び第２のスケーリングフィルタ部３、６がＳＤＲＡＭ１から画像データを読み出す時に、ＳＤＲＡＭ１に対して読み出しが集中しないように、画像のバッファリングを行う。より詳細には、第１、第２のスケーリングフィルタ部３、６が第１、第２のリードバッファ２、５から画像データの読み出しを行わないときに、先行してＳＤＲＡＭ１から画像データを読み込んで記憶しておく。
【０００７】
第1のスケーリングフィルタ部３は、受信機が表示を行うための画像を生成し、通常はＭＰＥＧ２の規格である420フォーマットを422フォーマットに変換する。また、PIP・POP・DW等の受信機の表示仕様に従い、ＨＤ画像を任意の大きさにスケーリングする。
【０００８】
また、第２のスケーリングフィルタ部６は、受信機の仕様であるＶＣＲ記録用の画像フォーマットに変換する。
【０００９】
第1のライトバッファ４及び第２のライトバッファ７は、第１及び第２のスケーリングフィルタ部３、６の出力信号を一時的にバッファリングし、ＳＤＲＡＭ１が画像の書き込み可能になるまで待機した後、ＳＤＲＡＭ１に画像データを書き戻す。
【００１０】
【発明が解決しようとする課題】
しかし、従来の装置には次のような問題があった。例えば、デコードされたＨＤ画像を受信機で表示し、かつＶＣＲ出力端子にこのＨＤ画像をダウンコンバートして出力する場合、ＳＤＲＡＭ１に格納されているＨＤ画像を第１及び第２のスケーリングフィルタ部３、６がＳＤＲＡＭ１からそれぞれ独立して読み出す。このため、同じＨＤ画像を２回読み出すこととなり、読み出しに必要なメモリバンド幅が２倍必要になる。
【００１１】
また、第１、第２のリードバッファ２、５もそれぞれ独立に設ける必要があり、バッファメモリの容量も増大する。この結果、素子面積及びコストの増大を招いていた。
【００１２】
本発明は上記事情に鑑み、重複したデータの読み出しを排除することによって、メモリバンド幅を縮小し、またメモリの容量を低減することが可能な画像処理方法及びその装置を提供することを目的とする。
【００１３】
【課題を解決するための手段】
本発明の画像処理装置は、画像情報を記憶する記憶手段と、前記記憶手段から前記画像情報を読み出して記憶する第１の記憶手段と、この第１の記憶手段に記憶された前記画像情報を読み出して第１の処理を行う第１の処理手段とを含み、前記第１の記憶手段に記憶された前記画像情報が前記第１の処理手段により前記第１の処理が行われた後、前記第１の記憶手段が第１の読み出し要求を出力する第１のブロックと、前記記憶手段から前記画像情報を読み出して記憶する第２の記憶手段と、この第２の記憶手段に記憶された前記画像情報を読み出して第２の処理を行う第２の処理手段とを含み、前記第２の記憶手段に記憶された前記画像情報が前記第２の処理手段により前記第２の処理が行われた後、前記第２の記憶手段が第２の読み出し要求を出力する第２のブロックと、前記第１の記憶手段から前記第１の読み出し要求が出力され、かつ前記第２の記憶手段から前記第２の読み出し要求が出力された場合に、前記記憶手段から前記画像情報を前記第１及び第２の記憶手段に転送させる調停手段とを備えることを特徴とする。
【００１４】
ここで、前記第１の記憶手段は、前記第１の処理手段が前記第１の処理を行うことによって記憶していた前記画像情報の処理が終了した場合、前記第１の処理手段に対して読み出し禁止を通知し、前記第２の記憶手段は、前記第２の処理手段が前記第２の処理を行うことによって記憶していた前記画像情報の処理が終了した場合、前記第２の処理手段に対して読み出し禁止を通知することもできる。
【００１５】
あるいは前記調停手段が、前記第１の記憶手段から前記第１の読み出し要求が出力されると、前記第１の処理手段に対して前記第１の記憶手段からの読み出しを禁止する通知を行い、前記第２の記憶手段から前記第２の読み出し要求が出力されると、前記第２の処理手段に対して前記第２の記憶手段からの読み出しを禁止する通知を行ってもよい。
【００１６】
また本発明は、画像情報を記憶する記憶手段と、前記記憶手段から前記画像情報を読み出して記憶する第１の記憶手段と、この第１の記憶手段に記憶された前記画像情報を読み出して第１の処理を行う第１の処理手段とを含み、前記第１の記憶手段に記憶された前記画像情報が前記第１の処理手段により前記第１の処理が行われた後、前記第１の記憶手段が第１の読み出し要求を出力する第１のブロックと、前記記憶手段から前記画像情報を読み出して記憶する第２の記憶手段と、この第２の記憶手段に記憶された前記画像情報を読み出して第２の処理を行う第２の処理手段とを含み、前記第２の記憶手段に記憶された前記画像情報が前記第２の処理手段により前記第２の処理が行われた後、前記第２の記憶手段が第２の読み出し要求を出力する第２のブロックと、        …      …、前記記憶手段から前記画像情報を読み出して記憶する第ｎの記憶手段と、この第ｎの記憶手段に記憶された前記画像情報を読み出して第ｎの処理を行う第ｎの処理手段とを含み、前記第ｎの記憶手段に記憶された前記画像情報が前記第ｎの処理手段により前記第ｎの処理が行われた後、前記第ｎの記憶手段が第ｎの読み出し要求を出力する第ｎのブロックと、前記第１、第２、…、第ｎの記憶手段のうち、少なくとも二つ以上から前記読み出し要求が出力された場合に、この読み出し要求を出力した記憶手段に前記記憶手段から前記画像情報を転送させる調停手段とを備えることを特徴とする。
【００１７】
あるいは本発明は、第１の画像情報及び第２の画像情報を記憶する記憶手段と、前記記憶手段から前記第１の画像情報を読み出して記憶する第１の画像情報記憶手段と、前記記憶手段から前記第２の画像情報を読み出して記憶する第２の画像情報記憶手段と、前記第１の画像情報記憶手段から前記第１の画像情報を読み出して記憶する第１の記憶手段と、この第１の記憶手段に記憶された前記第１の画像情報を読み出して第１の処理を行う第１の処理手段とを含み、前記第１の記憶手段に記憶された前記第１の画像情報が前記第１の処理手段により前記第１の処理が行われた後、前記第１の記憶手段が第１の読み出し要求を出力する第１のブロックと、前記第２の画像情報記憶手段から前記第２の画像情報を読み出して記憶する第２の記憶手段と、この第２の記憶手段に記憶された前記第２の画像情報を読み出して第２の処理を行う第２の処理手段とを含み、前記第２の記憶手段に記憶された前記第２の画像情報が前記第２の処理手段により前記第２の処理が行われた後、前記第２の記憶手段が第２の読み出し要求を出力する第２のブロックと、前記第１の画像情報記憶手段から前記第１の画像情報を読み出して記憶する第３の記憶手段と、この第３の記憶手段に記憶された前記第１の画像情報を読み出して第３の処理を行い出力する第３の処理手段とを含み、前記第３の記憶手段に記憶された前記第１の画像情報が前記第３の処理手段により前記第３の処理が行われた後、前記第３の記憶手段が第３の読み出し要求を出力する第３のブロックと、前記第２の画像情報記憶手段から前記第２の画像情報を読み出して記憶する第４の記憶手段と、この第４の記憶手段に記憶された前記第２の画像情報を読み出して第４の処理を行い出力する第４の処理手段とを含み、前記第４の記憶手段に記憶された前記第２の画像情報が前記第４の処理手段により前記第４の処理が行われた後、前記第４の記憶手段が第４の読み出し要求を出力する第４のブロックと、前記第１、第２の処理手段からの出力の位相差を検出して第１の位相差検出信号を出力する第１の位相差検出手段と、前記第３、第４の処理手段からの出力の位相差を検出して第２の位相差検出信号を出力する第２の位相差検出手段と、前記第１の位相差検出信号に基づいて前記第１、第２の読み出し要求の受け付けの有無を判断し、前記第２の位相差検出信号に基づいて前記第３、第４の読み出し要求の受け付けの有無を判断し、これにより前記第１の画像情報記憶手段から前記第１及び第３の記憶手段への前記第１の画像情報の転送のタイミングを制御し、前記第２の画像情報記憶手段から前記第２及び第４の記憶手段への前記第２の画像情報の転送のタイミングを制御する調停手段とを備えることを特徴とする。
【００１８】
ここで前記調停手段は、前記第１の位相差検出信号が、前記第１の処理が前記第２の処理より進んでいることを示す場合、前記第２の読み出し要求があったときこの要求を受け付け、第２の処理が前記第１の処理より進んでいることを示す場合、前記第１の読み出し要求があったときこの要求を受け付け、前記第１及び第２の処理が同時に進んでいることを示す場合、前記第１及び／又は第２の読み出し要求があったときこの要求を受け付け、前記第２の位相差検出信号が、前記第３の処理が前記第４の処理より進んでいることを示す場合、前記第４の読み出し要求があったときこの要求を受け付け、第４の処理が前記第３の処理より進んでいることを示す場合、前記第３の読み出し要求があったときこの要求を受け付け、前記第３及び第４の処理が同時に進んでいることを示す場合、前記第３及び／又は第４の読み出し要求があったときこの要求を受け付けてもよい。
【００１９】
また本発明は、第１、第２、…、第ｍの画像情報を記憶する記憶手段と、前記記憶手段から前記第１の画像情報を読み出して記憶する第１の画像情報記憶手段と、前記記憶手段から前記第２の画像情報を読み出して記憶する第２の画像情報記憶手段と、        …      …、前記記憶手段から前記第ｍの画像情報を読み出して記憶する第ｍの画像情報記憶手段と、第１のフィルタであって、
前記第１の画像情報記憶手段から前記第１の画像情報を読み出して記憶する第１１の記憶手段と、この第１の記憶手段に記憶された前記第１の画像情報を読み出して第１１の処理を行う第１１の処理手段とを含み、前記第１１の記憶手段に記憶された前記第１の画像情報が前記第１１の処理手段により前記第１１の処理が行われた後、前記第１１の記憶手段が第１１の読み出し要求を出力する第１１のブロックと、前記第２の画像情報記憶手段から前記第２の画像情報を読み出して記憶する第１２の記憶手段と、この第１２の記憶手段に記憶された前記第２の画像情報を読み出して第１２の処理を行う第１２の処理手段とを含み、前記第１２の記憶手段に記憶された前記第２の画像情報が前記第１２の処理手段により前記第１２の処理が行われた後、前記第１２の記憶手段が第１２の読み出し要求を出力する第１２のブロックと、      …      …、前記第ｍの画像情報記憶手段から前記第ｍの画像情報を読み出して記憶する第１ｍの記憶手段と、この第１ｍの記憶手段に記憶された前記第ｍの画像情報を読み出して第１ｍの処理を行う第１ｍ処理手段とを含み、前記第１ｍの記憶手段に記憶された前記第ｍの画像情報が前記第１ｍの処理手段により前記第１ｍの処理が行われた後、前記第１ｍの記憶手段が第１ｍの読み出し要求を出力する第１ｍのブロックとを有する、前記第１のフィルタと、第２のフィルタであって、前記第１の画像情報記憶手段から前記第１の画像情報を読み出して記憶する第２１の記憶手段と、この第２１の記憶手段に記憶された前記第１の画像情報を読み出して第２１の処理を行う第２１の処理手段とを含み、前記第２１の記憶手段に記憶された前記第１の画像情報が前記第２１の処理手段により前記第２１の処理が行われた後、前記第２１の記憶手段が第２１の読み出し要求を出力する第２１のブロックと、前記第２の画像情報記憶手段から前記第２の画像情報を読み出して記憶する第２２の記憶手段と、この第２２の記憶手段に記憶された前記第２の画像情報を読み出して第２２の処理を行う第２２の処理手段とを含み、前記第２２の記憶手段に記憶された前記第２の画像情報が前記第２２の処理手段により前記第２２の処理が行われた後、前記第２２の記憶手段が第２２の読み出し要求を出力する第２２のブロックと、    …      …、前記第ｍの画像情報記憶手段から前記第ｍの画像情報を読み出して記憶する第２ｍの記憶手段と、この第２ｍの記憶手段に記憶された前記第ｍの画像情報を読み出して第２ｍの処理を行う第２ｍ処理手段とを含み、前記第２ｍの記憶手段に記憶された前記第ｍの画像情報が前記第２ｍの処理手段により前記第２ｍの処理が行われた後、前記第２ｍの記憶手段が第２ｍの読み出し要求を出力する第２ｍのブロックとを有する、前記第２のフィルタと、    …、      …、第ｐのフィルタであって、前記第１の画像情報記憶手段から前記第１の画像情報を読み出して記憶する第ｐ１の記憶手段と、この第ｐ１の記憶手段に記憶された前記第１の画像情報を読み出して第ｐ１の処理を行う第ｐ１の処理手段とを含み、前記第ｐ１の記憶手段に記憶された前記第１の画像情報が前記第ｐ１の処理手段により前記第ｐ１の処理が行われた後、前記第ｐ１の記憶手段が第ｐ１の読み出し要���を出力する第ｐ１のブロックと、前記第２の画像情報記憶手段から前記第２の画像情報を読み出して記憶する第ｐ２の記憶手段と、この第ｐ２の記憶手段に記憶された前記第２の画像情報を読み出して第ｐ２の処理を行う第ｐ２の処理手段とを含み、前記第ｐ２の記憶手段に記憶された前記第２の画像情報が前記第ｐ２の処理手段により前記第ｐ２の処理が行われた後、前記第ｐ２の記憶手段が第ｐ２の読み出し要求を出力する第ｐ２のブロックと、    …      …、前記第ｍの画像情報記憶手段から前記第ｍの画像情報を読み出して記憶する第ｐｍの記憶手段と、この第ｐｍの記憶手段に記憶された前記第ｍの画像情報を読み出して第ｐｍの処理を行う第ｐｍ処理手段とを含み、前記第ｐｍの記憶手段に記憶された前記第ｍの画像情報が前記第ｐｍの処理手段により前記第ｐｍの処理が行われた後、前記第ｐｍの記憶手段が第ｐｍの読み出し要求を出力する第ｐｍのブロックとを有する、前記第ｐのフィルタと、前記第１のフィルタに対応して設けられ、前記第１１、第１２、…、第１ｍの処理手段からの出力の位相差を検出して第１の位相差検出信号を出力する第１の位相差検出手段と、前記第２のフィルタに対応して設けられ、前記第２１、第２２、…、第２ｍの処理手段からの出力の位相差を検出して第２の位相差検出信号を出力する第２の位相差検出手段と、  …        …、前記第ｐのフィルタに対応して設けられ、前記第ｐ１、第ｐ２、…、第ｐｍの処理手段からの出力の位相差を検出して第ｐの位相差検出信号を出力する第ｐの位相差検出手段と、前記第１の位相差検出信号に基づいて前記第１１、第１２、…、第１ｍの読み出し要求の受け付けの有無を判断し、前記第２の位相差検出信号に基づいて前記第２１、第２２、…、第２ｍの読み出し要求の受け付けの有無を判断し、…、前記第ｐの位相差検出信号に基づいて前記第ｐ１、第ｐ２、…、第ｐｍの読み出し要求の受け付けの有無を判断し、これにより前記第１の画像情報記憶手段から前記第１１、第２１、…、第ｐ１の記憶手段への前記第１の画像情報の転送のタイミングを制御し、前記第２の画像情報記憶手段から前記第１２、第２２、…、第ｐ２の記憶手段への前記第２の画像情報の転送のタイミングを制御し、…、前記第ｍの画像情報記憶手段から前記第１ｍ、第２ｍ、…、第ｐｍの記憶手段への前記第ｍの画像情報の転送のタイミングを制御する調停手段とを備える。
【００２０】
ここで、前記調停手段は、前記第１１、第１２、…、第１ｍの処理のうち、前記第１の位相差検出信号が示す位相が１番進んでいるものからｊ番目までのものに対応する記憶手段からの読み出し要求は受け付けず、他の記憶手段からの読み出し要求は受け付け、前記第２１、第２２、…、第２ｍの処理のうち、前記第２の位相差検出信号が示す位相が１番進んでいるものからｊ番目までのものに対応する記憶手段からの読み出し要求は受け付けず、他の記憶手段からの読み出し要求は受け付け、    …      …、前記第ｐ１、第ｐ２、…、第ｐｍの処理のうち、前記第ｐの位相差検出信号が示す位相が１番進んでいるものからｊ番目までのものに対応する記憶手段からの読み出し要求は受け付けず、他の記憶手段からの読み出し要求は受け付けることもできる。
【００２１】
本発明の画像処理方法は、画像情報を記憶手段に記憶するステップと、前記記憶手段から前記画像情報を読み出して第１の記憶手段に記憶するステップと、この第１の記憶手段に記憶された前記画像情報を読み出して第１の処理を行うステップと、前記第１の記憶手段に記憶された前記画像情報が前記第１の処理手段により前記第１の処理が行われた後、第１の読み出し要求を出力するステップと、前記記憶手段から前記画像情報を読み出して第２の記憶手段に記憶するステップと、この第２の記憶手段に記憶された前記画像情報を読み出して第２の処理を行うステップと、前記第２の記憶手段に記憶された前記画像情報が前記第２の処理手段により前記第２の処理が行われた後、第２の読み出し要求を出力するステップと、前記第１及び第２の読み出し要求が出力された場合に、前記記憶手段から前記画像情報を前記第１及び第２の記憶手段に転送させるステップとを備えることを特徴とする。
【００２２】
【発明の実施の形態】
以下、本発明の実施の形態について図面を参照して説明する。
【００２３】
（１）第１の実施の形態
本発明の第１の実施の形態による画像処理装置の構成を図１に示す。本装置は、記憶手段ａ１、ａ２、画像処理手段ａ２００、ａ２０１、調停手段ａ５、記憶手段ａ８を備えている。
【００２４】
記憶手段ａ１は、スケーリング処理前の画像データを格納する。記憶手段ａ２は、スケーリング処理を行う画像データを所定ビット数分記憶手段ａ１から読み出して格納する。
【００２５】
画像処理手段ａ２００は、記憶手段ａ２に格納された画像データを読み出して記憶手段ａ３に格納し、スケーリング手段ａ６が順次この画像データを読み出してスケーリング処理を行い、記憶手段ａ８に処理後の画像データを出力する。
【００２６】
画像処理手段ａ２０１は、記憶手段ａ２に格納された画像データを読み出して記憶手段ａ４に格納し、スケーリング手段ａ７が順次この画像データを読み出してスケーリング処理を行い、記憶手段ａ８に処理後の画像データを出力する。
【００２７】
調停手段ａ５は、記憶手段ａ２からの記憶手段ａ３の読み出し動作と記憶手段ａ４の読み出し動作が重複しないように、後述するように読み出し要求が遅い方に合わせて同じタイミングで読み出しを行うように調停動作を行う。
【００２８】
ここで、上記スケーリング手段ａ６、ａ７の処理内容を、図２を用いて説明する。
【００２９】
記憶手段ａ１あるいはａ２に格納されたスケーリング処理前の画像データの水平サイズをａとする。画像処理手段ａ２００におけるスケーリング手段ａ６は、水平サイズをａ／２に縮小する処理を行って出力する。画像処理手段ａ２０１におけるスケーリング手段ａ７は、水平サイズをａ＊２に拡大する処理を行い出力する。
【００３０】
次に、本装置における各信号の動作波形を図３のタイムチャートに示し、処理の手順について説明する。
【００３１】
記憶手段ａ２は、図３に示されたように内部に記憶した未処理の画像データ「Ｄｉ８、Ｄｉ９、Ｄｉ１０、Ｄｉ１１」が処理されて、内部に４バイト以上の空き領域が生じると、読み出し要求信号ａ１０１をアクティブ(ハイレベル)にする。ここで図中の印「ｘ」は、記憶手段ａ２内の画像データが記憶手段ａ３及びａ４へ読み出され、破壊されてよい状態になったことを示す。
【００３２】
記憶手段ａ１は、読み出し要求信号ａ１０１がアクティブ(ハイレベル)になると、所定のタイミングで読み出し許可信号ａ１０２をアクティブ(ハイレベル)とし、内部に記憶しているスケーリング処理前の画像データ「Ｄｉ６、Ｄｉ７、Ｄｉ８、Ｄｉ９」を出力データａ１０３として記憶手段ａ２に出力する。
【００３３】
記憶手段ａ２は、読み出し許可信号ａ１０２がアクティブ(ハイレベル)のとき、出力データａ１０３を内部の空き領域に記憶する。
【００３４】
一方、画像処理手段ａ２００内のスケーリング手段ａ６は、記憶手段ａ３から出力される読み出し許可信号ａ１０９がアクティブ(ハイレベル)の間、読み出し要求データ数ａ１０８として、例えば「２」、「２」を出力する。
【００３５】
記憶手段ａ３は、読み出し要求データ数ａ１０８で指定された画素数分のデータを、出力データａ１１０として「Ｄｉ５」、「Ｄｉ４」及び「Ｄｉ７」、「Ｄｉ６」として出力する。
【００３６】
スケーリング手段ａ６は、スケーリング手段ａ６の内部に保持したデータに更新が必要でない場合は、読み出し要求データ数ａ１０８を「０」に設定し、内部に保持したデータに基づいて出力データの値を計算し、出力データａ１１５として「ＳｉＤ０」、「ＳｉＤ１」、「ＳｉＤ２」を記憶手段ａ８に出力すると共に、有効フラグａ１１４をアクティブ(ハイレベル)とする。
【００３７】
スケーリング手段ａ６は、内部に保持したデータの更新が必要な場合は、読み出し許可信号ａ１０９がアクティブ(ハイレベル)の間（記憶手段ａ３内にスケーリング処理前のデータが残っている間）、記憶手段ａ３からの出力データａ１１０を読み込んで内部に保持したデータを更新し、更新結果に基づいて出力データの値を計算する。そして、記憶手段ａ８へ出力データａ１１５を出力すると共に、有効フラグａ１１４をアクティブ(ハイレベル)とする。
【００３８】
記憶手段ａ３からの読み出し許可信号ａ１０９がインアクティブ(ローレベル)の時（記憶手段ａ３内に、スケーリング処理前のデータが残っていない時）は、読み出し要求データ数ａ１０８を「０」に設定し、内部データの更新は行わず、有効フラグａ１１４をインアクティブ(ローレベル)にしておく。
【００３９】
記憶手段ａ８は、有効フラグａ１１４がアクティブ(ハイレベル)の時に、スケーリング手段ａ６からの出力データａ１１５の値を記憶する。
【００４０】
記憶手段ａ３は、スケーリング手段ａ６からの読み出し要求データ数ａ１０８に従ってデータを出力した結果、内部のスケーリング処理前のデータ数が「０」になると、調停手段ａ５への読み出し要求信号ａ１０６をアクティブ(ハイレベル)とし、スケーリング手段ａ６への読み出し許可信号ａ１０９をインアクティブ(ローレベル)とする。
【００４１】
同様に、画像処理手段ａ２０１内のスケーリング手段ａ７は、記憶手段ａ４から出力される読み出し許可信号ａ１１２がアクティブ(ハイレベル)の間、読み出し要求データ数ａ１１１として「１」、「１」、「１」、「１」を出力する。
【００４２】
記憶手段ａ４は、読み出し要求データ数ａ１１１で指定された画素数分「４」のデータを、出力データａ１１３として「Ｄｉ４」、「Ｄｉ５」、「Ｄｉ６」、「Ｄｉ７」を出力する。
【００４３】
スケーリング手段ａ７は、その内部に保持したデータに更新が必要でない場合は、読み出し要求データ数ａ１１１を「０」に設定し、内部に保持したデータに基づいて出力データの値を計算し、出力データａ１１７として、「Ｓ２Ｄ０」、「Ｓ２Ｄ２」、「Ｓ２Ｄ３」、…を記憶手段ａ８に出力すると共に、有効フラグａ１１６をアクティブ(ハイレベル)とする。
【００４４】
スケーリング手段ａ７は、内部に保持したデータの更新が必要な場合は、読み出し許可信号ａ１１２がアクティブ(ハイレベル)の間、記憶手段ａ４からの出力データａ１１３を読み込んで内部に保持したデータを更新し、更新結果に基づいて出力データの値を計算する。そして、記憶手段ａ８へ出力データａ１１７を出力すると共に、有効フラグａ１１６をアクティブ(ハイレベル)とする。
【００４５】
記憶手段ａ４からの読み出し許可信号ａ１１２がインアクティブ(ローレベル)の時は、読み出し要求データ数ａ１１１を「０」に設定し、内部データの更新は行わず、有効フラグａ１１６をインアクティブ(ローレベル)にしておく。
【００４６】
記憶手段ａ８は、有効フラグａ１１６がアクティブ(ハイレベル)の時に、スケーリング手段ａ７からの出力データａ１１７の値を記憶する。
【００４７】
記憶手段ａ４は、スケーリング手段ａ７からの読み出し要求データ数ａ１１１に従ってデータを出力した結果、内部のスケーリング処理前のデータ数が「０」になると、調停手段ａ５への読み出し要求信号ａ１０７をアクティブ(ハイレベル)とし、スケーリング手段ａ７への読み出し許可信号ａ１１２をインアクティブ(ローレベル)とする。
【００４８】
調停手段ａ５は、記憶手段ａ３からの読み出し要求ａ１０６と、記憶手段ａ４からの読み出し要求ａ１０７とが共にアクティブ(ハイレベル)となった時に、記憶手段ａ２への読み出し要求ａ１０４をアクティブ(ハイレベル)とする。
【００４９】
記憶手段ａ２は、読み出し要求ａ１０４がアクティブ(ハイレベル)の時、所定ビット数（ここでは、４バイト）分のデータを出力データａ１０５として出力する。
【００５０】
記憶手段ａ３は、調停手段ａ５からの読み出し要求ａ１０４がアクティブ（ハイレベル）の時に、記憶手段ａ２から出力されたデータａ１０５を記憶し、調停手段ａ５への読み出し要求ａ１０６をインアクティブ(ローレベル)にし、スケーリング手段ａ６への読み出し許可信号ａ１０９をアクティブ(ハイレベル)にする。
【００５１】
記憶手段ａ４は、読み出し要求ａ１０４がアクティブ(ハイレベル)の時に出力データａ１０５を記憶し、読み出し要求ａ１０７をインアクティブ(ローレベル)にし、読み出し許可信号ａ１１２をアクティブ(ハイレベル)にする。
【００５２】
本実施の形態によれば、スケーリング処理の時間が異なる二つのスケーリング手段ａ６、ａ７において、両方のスケーリング処理が終了した時点で、記憶手段ａ２から同時に画像データを記憶手段ａ３、ａ４に転送する。これにより、重複した画像データの読み出しが回避され、記憶手段ａ２からの出力幅が最小の幅で足りると共に、記憶手段ａ３、ａ４の容量の増大も防止され、コスト低減に寄与することができる。
【００５３】
（２）第２の実施の形態
本発明の第２の実施の形態による画像処理装置について、図４を参照して説明する。
【００５４】
本実施の形態は、上記第１の実施の形態と同様に、図２に示された画像データの水平サイズａを１／２に縮小するスケーリング処理と、２倍に拡大するスケーリング処理とを行うものとする。
【００５５】
上記第１の実施の形態と比較し、画像処理手段ｂ２００及びｂ２０１と調停手段ｂ５の動作が相違しており、他の記憶手段ａ１、ａ２、ａ８は同様に動作する。上記第１の実施の形態と同一の記憶手段ａ１、ａ２、ａ８には同一の番号を付して説明を省略する。
【００５６】
上記第１の実施の形態では、記憶手段ａ３に未処理の画像データが残っていない場合、スケーリング手段ａ６に対して読み出し許可信号ａ１０９をインアクティブとして通知していた。これに対し、本実施の形態では、記憶手段ｂ３からは読み出し許可信号を出力しない替わりに、記憶手段ｂ３から調停手段ｂ５へ読み出し要求信号ａ１０６が出力されると、調停手段ｂ５からスケーリング手段ｂ６へ出力する読み出し許可信号ｂ１０９をインアクティブにする点で相違する。
【００５７】
以下、本実施の形態おける動作について詳述する。
【００５８】
画像処理手段ｂ２００内のスケーリング手段ｂ６は、調停手段ｂ５から出力される読み出し許可信号ａ１０９がアクティブ(ハイレベル)の間、読み出し要求データ数ｂ１０８を出力する。
【００５９】
記憶手段ｂ３は、読み出し要求データ数ｂ１０８で指定された画素数分のデータを、出力データｂ１１０として出力する。
【００６０】
スケーリング手段ｂ６は、その内部に保持したデータに更新が必要でない場合は、読み出し要求データ数ｂ１０８を「０」に設定し、内部に保持したデータに基づいて出力データの値を計算し、出力データｂ１１５を記憶手段ａ８に出力すると共に、有効フラグａ１１４をアクティブ(ハイレベル)とする。
【００６１】
またスケーリング手段ｂ６は、内部に保持したデータの更新が必要な場合は、読み出し許可信号ｂ１０９がアクティブ(ハイレベル)の間、記憶手段ｂ３からの出力データｂ１１０を読み込んで内部に保持したデータを更新し、更新結果に基づいて出力データの値を計算する。そして、記憶手段ａ８へ出力データａ１１５を出力すると共に、有効フラグａ１１４をアクティブ(ハイレベル)とする。
【００６２】
読み出し許可信号ｂ１０９がインアクティブ(ローレベル)の時は、読み出し要求データ数ｂ１０８を「０」に設定し、内部データの更新は行わず、有効フラグｂ１１４をインアクティブ(ローレベル)にしておく。
【００６３】
記憶手段ｂ３は、スケーリング手段ｂ６からの読み出し要求データ数ｂ１０８に従ってデータを出力した結果、内部のスケーリング処理前のデータ数が「０」になると、調停手段ｂ５への読み出し要求信号ｂ１０６をアクティブ(ハイレベル)とする。これにより、調停手段ｂ５は、スケーリング手段ｂ６への読み出し許可信号ｂ１０９をインアクティブ(ローレベル)とする。
【００６４】
同様に、画像処理手段ｂ２０１内のスケーリング手段ｂ７は、調停手段ｂ５から出力される読み出し許可信号ｂ１１２がアクティブ(ハイレベル)の間、読み出し要求データ数ｂ１１１を出力する。
【００６５】
記憶手段ｂ４は、読み出し要求データ数ｂ１１１で指定された画素数分のデータを、出力データｂ１１３として出力する。
【００６６】
スケーリング手段ｂ７は、その内部に保持したデータに更新が必要でない場合は、読み出し要求データ数ｂ１１１を「０」に設定し、内部に保持したデータに基づいて出力データの値を計算し、出力データａ１１７を記憶手段ａ８に出力すると共に、有効フラグａ１１６をアクティブ(ハイレベル)とする。
【００６７】
さらにスケーリング手段ｂ７は、内部に保持したデータの更新が必要な場合は、読み出し許可信号ｂ１１２がアクティブ(ハイレベル)の間、記憶手段ｂ４からの出力データｂ１１３を読み込んで内部に保持したデータを更新し、更新結果に基づいて出力データの値を計算する。そして、記憶手段ａ８へ出力データａ１１７を出力すると共に、有効フラグａ１１６をアクティブ(ハイレベル)とする。
【００６８】
調停手段ｂ５からの読み出し許可信号ｂ１１２がインアクティブ(ローレベル)の時は、読み出し要求データ数ｂ１１１を「０」に設定し、内部データの更新は行わず、有効フラグａ１１６をインアクティブ(ローレベル)にしておく。
【００６９】
記憶手段ｂ４は、スケーリング手段ｂ７からの読み出し要求データ数ｂ１１１に従ってデータを出力した結果、内部のスケーリング処理前のデータ数が「０」になると、調停手段ｂ５への読み出し要求信号ｂ１０７をアクティブ(ハイレベル)とし、スケーリング手段ｂ７への読み出し許可信号ｂ１１２をインアクティブ(ローレベル)とする。
【００７０】
調停手段ｂ５は、記憶手段ｂ３からの読み出し要求ｂ１０６と、記憶手段ｂ４からの読み出し要求ｂ１０７とが共にアクティブ(ハイレベル)となった時に、記憶手段ａ２への読み出し要求ａ１０４をアクティブ(ハイレベル)とする。
【００７１】
記憶手段ａ２は、読み出し要求ａ１０４がアクティブ(ハイレベル)の時、所定ビット数分のデータを出力データａ１０５として出力する。
【００７２】
記憶手段ｂ３は、調停手段ｂ５からの読み出し要求ａ１０４がアクティブ（ハイレベル）の時に、記憶手段ａ２から出力されたデータａ１０５を記憶し、調停手段ｂ５への読み出し要求ｂ１０６をインアクティブ(ローレベル)にする。これにより、調停手段ｂ５はスケーリング手段ｂ６へ出力する読み出し許可信号ｂ１０９をアクティブ(ハイレベル)にする。
【００７３】
記憶手段ｂ４は、読み出し要求ｂ１０４がアクティブ(ハイレベル)の時に出力データａ１０５を記憶し、読み出し要求ｂ１０７をインアクティブ(ローレベル)にする。これにより、調停手段ｂ５は、スケーリング手段ｂ７に出力する読み出し許可信号ｂ１１２をアクティブ(ハイレベル)にする。
【００７４】
本実施の形態によれば、上記第１の実施の形態と同様に、処理時間が相違する二つのスケーリング手段ｂ６、ｂ７において、両方のスケーリング処理が終了した時点で、記憶手段ａ２から同時に画像データを記憶手段ｂ３、ｂ４に転送する。これにより、重複した画像データの読み出しが回避され、記憶手段ａ２からの出力幅が最小の幅で足りると共に、記憶手段ｂａ３、ｂ４の容量の増大も防止され、コスト低減に寄与することができる。
【００７５】
（３）第３の実施の形態
本発明の第３の実施の形態について、図５を用いて説明する。
【００７６】
上記第１又は第２の実施の形態では、スケーリング処理に二種類存在し、二つのスケーリング手段の処理が終了した時点で一括して画像データを転送する構成を備えている。
【００７７】
これに対し、本実施の形態はスケーリング処理にｎ（ｎは３以上の整数）種類存在し、ｎ個のスケーリング手段を備えている。この場合の構成を、図５に示す。画像処理手段ａ２００、ａ２０１、…、ａ３００がｎ個配置され、それぞれ記憶手段ａ３及びスケーリング手段ａ６、記憶手段ａ４及びスケーリング手段ａ７、…、記憶手段ａ３０及びスケーリング手段ａ３１を備えている。
【００７８】
上記第１、第２の実施の形態と同様に、記憶手段ａ３、ａ４、…、ａ３０からそれぞれ読み出し要求ａ１０６、ａ１０７、…、ａ３０４が調停手段ａ５に異なるタイミングで出力される。調停手段ａ５は、少なくとも２つの読み出し要求がそろった時点で、この読み出し要求を行った記憶手段へ記憶手段ａ２から画像データを転送する制御を行う。
【００７９】
例えば、記憶手段ａ３及びａ４からの読み出し要求ａ１０６及びａ１０７がそろった時点で、読み出し許可信号ａ３１０及びａ３１１をアクティブ（ハイレベル）とすることで、記憶手段ａ２から記憶手段ａ３及びａ４へ画像データを同時に一括して転送する。これにより、記憶手段ａ３及びａ４の重複したデータの読み出しが防止される。
【００８０】
記憶手段ａ４及びａ３０からの読み出し要求ａ１０６及びａ３０４がそろった時点で、読み出し許可信号ａ３１１及びａ３１２をアクティブ（ハイレベル）とすることで、記憶手段ａ２から記憶手段ａ４及びａ３０へ画像データを同時に一括して転送する。これによって、記憶手段ａ４及びａ３０の重複したデータの読み出しが回避される。
【００８１】
同様に、記憶手段ａ３及びａ３０からの読み出し要求ａ１０６及びａ３０４がそろった時点で、読み出し許可信号ａ３１０及びａ３１２をアクティブ（ハイレベル）とし、記憶手段ａ２から記憶手段ａ３及びａ３０へ画像データを同時に一括して転送することで、記憶手段ａ３及びａ３０の重複したデータの読み出しが防止される。
【００８２】
さらには、全ての記憶手段ａ３、ａ４、…、ａ３０からの読み出し要求ａ１０６、ａ１０７、…、ａ３０４がそろった時点で、読み出し許可信号ａ３１０、ａ３１１、…、ａ３１２をアクティブ（ハイレベル）とすることで、記憶手段ａ２から全ての記憶手段ａ３、ａ４、…、ａ３０へ画像データを同時に一括して転送する。これにより、記憶手段ａ３、ａ４、…、ａ３０の重複したデータの読み出しが防止される。
【００８３】
あるいはまた、任意のｊ（ｊは２以上、ｎ以下の整数）個の記憶手段からの読み出し要求がそろった時点で、記憶手段ａ２からの画像データの転送を同時に行ってもよい。これにより、上記第１、第２の実施の形態と同様に、記憶手段ａ２から他の記憶手段への出力幅を最小の幅とすることができると共に、各記憶手段の容量の増大を防止することが可能である。
【００８４】
（４）第４の実施の形態
以下、本発明の第４の実施の形態について、図６を用いて説明する。
【００８５】
上記第１〜第３の実施の形態では、記憶手段ａ１に記憶された画像データの全てが共通の記憶手段ａ２に一旦格納され、それぞれのスケーリング手段ａ６及びａ７、ｂ６及びｂ７毎に対応して設けられた記憶手段ａ３及びａ４、ｂ３及びｂ４に与えられる。
【００８６】
これに対し、本実施の形態では画像データに二種類（輝度情報、色情報）が有り、二つの記憶手段ｃ２及びｃ１０にそれぞれ格納された後、スケーリング手段ｃ３及びｃ１１、ｃ４及びｃ１２毎に対応して設けられた記憶手段ｃ３及びｃ１１、ｃ４及びｃ１２に与えられる。
【００８７】
本実施の形態は、記憶手段ｃ１、ｃ２、ｃ８、ｃ１０、画像処理手段ｃ２００〜ｃ２０３、位相検出手段ｃ９及びｃ１５、調停手段ｃ５を備えている。また、画像処理手段ｃ２００は記憶手段ｃ３、スケーリング手段ｃ６、画像処理手段ｃ２０１は記憶手段ｃ４、スケーリング手段ｃ７、画像処理手段ｃ２０２は記憶手段ｃ１１、スケーリング手段ｃ１３、画像処理手段ｃ２０３は記憶手段ｃ１２、スケーリング手段ｃ１４をそれぞれ有している。
【００８８】
記憶手段ｃ１に、画像データにおける輝度情報と色情報とが記憶されている。
【００８９】
画像処理手段ｃ２００におけるスケーリング手段ｃ６は、上記第１の実施の形態におけるスケーリング手段ａ６と同様に、記憶手段ｃ１に記憶された画像情報のうち輝度情報の水平サイズを１／２に縮小する処理を行う。
【００９０】
画像処理手段ｃ２０１におけるスケーリング手段ｃ１３は、記憶手段ｃ1に記憶された画像情報に含まれる輝度情報の水平サイズを２倍に拡大する処理を行う。
【００９１】
一方、画像処理手段ｃ２０２におけるスケーリング手段ｃ１３は、記憶手段ｃ１に記憶された画像情報における色情報の水平サイズを１／２に縮小する処理を行う。
【００９２】
画像処理手段ｃ２０３におけるスケーリング手段ｃ１４は、記憶手段ｃ1に記憶された画像情報に含まれる色情報の水平サイズを２倍に拡大する処理を行う。
【００９３】
位相検出手段ｃ９は、スケーリング手段ｃ６からの輝度情報の出力ｃ１２０と、スケーリング手段ｃ７からの色情報の出力ｃ１２１とを与えられ、両者の出力のタイミングを合わせるために、出力ｃ１２０と出力ｃ１２１との位相のずれを検出してＹＣ処理位相情報ｃ１１８を調停手段ｃ５に出力する。
【００９４】
同様に、位相検出手段ｃ１５は、スケーリング手段ｃ１３からの輝度情報の出力ｃ１３８と、スケーリング手段ｃ１４からの色情報の出力ｃ１３９とを与えられ、両者の位相のずれを検出してＹＣ処理位相情報ｃ１４０を調停手段ｃ５に出力する。
【００９５】
ここで、ＹＣ処理位相情報ｃ１１８、ｃ１４０について図７を用いて説明する。ＹＣ処理位相情報ｃ１１８は、スケーリング手段ｃ６の出力ｃ１２０とスケーリング手段ｃ７の出力ｃ１２１との位相が同相の場合、出力ｃ１２０の位相が進んでいる場合（Ｙ進）、出力ｃ１２１の位相が進んでいる場合（Ｃ進）のいずれかを示している。同様に、ＹＣ処理位相情報ｃ１４０は、スケーリング手段ｃ１３の出力ｃ１３８とスケーリング手段ｃ１４の出力ｃ１３９との位相が同相の場合、出力ｃ１３８の位相が進んでいる場合（Ｙ進）、出力ｃ１３９の位相が進んでいる場合（Ｃ進）のいずれかを示している。
【００９６】
調停手段ｃ５は、記憶手段ｃ３からの読み出し要求ｃ１０６、記憶手段ｃ４からの読み出し要求ｃ１０７、記憶手段ｃ１１からの読み出し要求ｃ１２５、記憶手段ｃ１２からの読み出し要求ｃ１２７、位相検出手段ｃ９からのＹＣ処理位相情報ｃ１１８、位相検出手段ｃ１５からのＹＣ処理位相情報ｃ１４０を与えられる。そして、ＹＣ処理位相情報ｃ１１８及びｃ１４０に基づいて、記憶手段ｃ３からの読み出し要求ｃ１０６と、記憶手段ｃ４からの読み出し要求ｃ１０７と、記憶手段ｃ１１からの読み出し要求ｃ１２５と、記憶手段ｃ１２からの読み出し要求ｃ１２７のそれぞれの受付の有無を決定する。
【００９７】
図７に示されたように、スケーリング手段ｃ６、ｃ７からの出力ｃ１２０、ｃ１２１が同相の場合、記憶手段ｃ３からの読み出し要求ｃ１０６がある場合には受け付ける（Ｙ１受付）。また、スケーリング手段ｃ６、ｃ７からの出力ｃ１２０、ｃ１２１が同相の場合、記憶手段ｃ１１からの読み出し要求ｃ１２５がある場合、これを受け付ける（Ｃ１受付）。スケーリング手段ｃ６からの出力ｃ１２０の方が位相が進んでいた場合（Ｙ進）、記憶手段ｃ３からの読み出し要求ｃ１０６があっても受け付けず、記憶手段ｃ１１からの読み出し要求ｃ１２５がある場合に受け付ける。スケーリング手段ｃ７からの出力ｃ１２１の方が位相が進んでいた場合（Ｃ進）、記憶手段ｃ３からの読み出し要求ｃ１０６がある場合には受け付け、記憶手段ｃ１１からの読み出し要求ｃ１２５があっても受け付けない。
【００９８】
同様に、スケーリング手段ｃ１３、ｃ１４からの出力ｃ１３８、ｃ１３９が同相の場合、記憶手段ｃ１１からの読み出し要求ｃ１２５がある場合にはこれを受け付け、記憶手段ｃ１２からの読み出し要求ｃ１２７がある場合にはこれを受け付ける。スケーリング手段ｃ１３からの出力ｃ１３８の方が位相が進んでいた場合（Ｙ進）、記憶手段ｃ１１からの読み出し要求ｃ１２５があっても受け付けず、記憶手段ｃ１２からの読み出し要求ｃ１２７がある場合に受け付ける。スケーリング手段ｃ１４からの出力ｃ１３９の方が位相が進んでいた場合（Ｃ進）、記憶手段ｃ１１からの読み出し要求ｃ１２５がある場合に受け付け、記憶手段ｃ１２からの読み出し要求ｃ１２７があっても受け付けない。
【００９９】
即ち、それぞれ二つのスケーリング処理のうち、処理が遅れてスケーリング手段からの出力の位相が遅れている方の記憶手段からの読み出し要求がある場合には受け付けるが、逆に処理が進んでスケーリング処理からの出力の位相が進んでいる方の記憶手段からの読み出し要求があった場合は受け付けない。
【０１００】
また、記憶手段ｃ３、ｃ１１からのそれぞれの読み出し要求ｃ１０６、ｃ１２５との関係、記憶手段ｃ４、ｃ１２からのそれぞれの読み出し要求ｃ１０７、ｃ１２７との関係は、上記第１の実施の形態と同様である。即ち、記憶手段ｃ３、Ｃ１１からのそれぞれの読み出し要求ｃ１０６、ｃ１２５が共に行われた時点で、調停手段ｃ５から記憶手段ｃ２への読み出し要求ｃ１０４をアクティブ(ハイレベル)とする。記憶手段ｃ４、ｃ１２からのそれぞれの読み出し要求ｃ１０７、ｃ１２７とが共に行われた時に、調停手段ｃ５から記憶手段ｃ１０への読み出し要求ｃ１１９をアクティブ(ハイレベル)とする。
【０１０１】
本実施の形態によれば、異なる画像情報（輝度情報、色情報）に対して処理時間の異なるスケーリング手段ｃ６とｃ７との間で、位相のずれを位相検出手段ｃ９が検出してそれぞれの記憶手段ｃ３、ｃ４からの読み出し要求の受付の有無を調停手段ｃ５が判断し、同様にスケーリング手段ｃ１３とｃ１４との間で、位相のずれを検出してそれぞれの記憶手段ｃ１１、ｃ１２からの読み出し要求の受付の有無を判断する。そして、調停手段ｃ５において、同じ輝度情報に関する記憶手段ｃ３、ｃ４からの読み出し要求が揃った時点で記憶手段ｃ２から記憶手段ｃ３、ｃ４へ輝度情報を同時に転送し、同じ色情報に関する記憶手段ｃ１１、ｃ１２からの読み出し要求が揃った時点で記憶手段ｃ２から記憶手段ｃ１１、ｃ１２へ色情報を同時に転送する。
【０１０２】
このように、処理の遅い方にタイミングを合わせて同一情報を一括して転送制御することにより、重複した画像データの読み出しが回避され、記憶手段ｃ２、ｃ１０からのそれぞれの出力幅が最小の幅で足りると共に、記憶手段ｃ３、ｃ４、ｃ１１、ｃ１２の容量の増大も防止されて、コスト低減に寄与する。
【０１０３】
（５）第５の実施の形態
上記第４の実施の形態と比較し、画像処理手段ｄ２００〜ｄ２０３と調停手段ｄ５の動作が相違しており、他の記憶手段ｃ１、ｃ２、ｃ８、ｃ１０、位相検出手段ｃ９及びｃ１５は同様に動作する。上記第４の実施の形態と同一の要素には同一の番号を付して説明を省略する。
【０１０４】
上記第４の実施の形態では、記憶手段ｃ３に未処理の画像データが残っていない場合、スケーリング手段ｃ６に対して読み出し許可信号ｃ１０９をインアクティブとして通知している。同様に、記憶手段ｃ４に未処理の画像データが残っていない場合、スケーリング手段ｃ７に対して読み出し許可信号ｃ１１２をインアクティブとして通知し、記憶手段ｃ１１に未処理の画像データが残っていない場合、スケーリング手段ｃ１３に対して読み出し許可信号ｃ１２９をインアクティブとして通知し、記憶手段ｃ１２に未処理の画像データが残っていない場合、スケーリング手段ｃ１４に対して読み出し許可信号ｃ１３２をインアクティブとして通知している。
【０１０５】
これに対し、本実施の形態では、記憶手段ｃ３、ｃ４、ｃ１１、ｃ１２から読み出し許可信号を出力しない替わりに、記憶手段ｃ３、ｃ４、ｃ１１、ｃ１２から調停手段ｄ５へ読み出し要求信号ｃ１０６、ｃ１０７、ｃ１２５、ｃ１２７が出力されると、調停手段ｄ５からスケーリング手段ｄ６、ｄ７、ｄ１３、ｄ１４へ出力する読み出し許可信号ｄ１１０、ｄ１１３、ｄ１３０、ｄ１３３インアクティブにする。
【０１０６】
以下、本実施の形態における動作について説明する。
【０１０７】
位相検出手段ｃ９は、スケーリング手段ｄ６からの輝度情報の出力ｃ１２０と、スケーリング手段ｄｃ７からの色情報の出力ｃ１２１とを与えられ、両者の出力のタイミングを合わせるために、出力ｃ１２０と出力ｃ１２１との位相のずれを検出してＹＣ処理位相情報ｃ１１８を調停手段ｄ５に出力する。
【０１０８】
同様に、位相検出手段ｃ１５は、スケーリング手段ｄ１３からの輝度情報の出力ｃ１３８と、スケーリング手段ｄ１４からの色情報の出力ｃ１３９とを与えられ、両者の位相のずれを検出してＹＣ処理位相情報ｃ１４０を調停手段ｄｃ５に出力する。
【０１０９】
ここで、ＹＣ処理位相情報ｃ１１８、ｃ１４０の内容は、図９に示されるとおりである。ＹＣ処理位相情報ｃ１１８は、スケーリング手段ｄ６の出力ｃ１２０とスケーリング手段ｄ７の出力ｃ１２１との位相が同相の場合、出力ｃ１２０の位相が進んでいる場合（Ｙ進）、出力ｃ１２１の位相が進んでいる場合（Ｃ進）のいずれかを示している。同様に、ＹＣ処理位相情報ｃ１４０は、スケーリング手段ｄ１３の出力ｃ１３８とスケーリング手段ｄ１４の出力ｃ１３９との位相が同相の場合、出力ｃ１３８の位相が進んでいる場合（Ｙ進）、出力ｃ１３９の位相が進んでいる場合（Ｃ進）のいずれかを示している。
【０１１０】
調停手段ｄ５は、記憶手段ｄ３からの読み出し要求ｃ１０６、記憶手段ｄ４からの読み出し要求ｃ１０７、記憶手段ｄ１１からの読み出し要求ｃ１２５、記憶手段ｄ１２からの読み出し要求ｃ１２７、位相検出手段ｃ９からのＹＣ処理位相情報ｃ１１８、位相検出手段ｃ１５からのＹＣ処理位相情報ｃ１４０を与えられる。そして、ＹＣ処理位相情報ｃ１１８及びｃ１４０に基づいて、記憶手段ｄ３からの読み出し要求ｃ１０６と、記憶手段ｄ４からの読み出し要求ｃ１０７と、記憶手段ｄ１１からの読み出し要求ｃ１２５と、記憶手段ｄ１２からの読み出し要求ｃ１２７のそれぞれの受付の有無を決定する。
【０１１１】
図９に示されたように、スケーリング手段ｄ６、ｄ７からの出力ｃ１２０、ｃ１２１が同相の場合、記憶手段ｄ３からの読み出し要求ｃ１０６がある場合には受け付ける（Ｙ１受付）。スケーリング手段ｄ６、ｄ７からの出力ｃ１２０、ｃ１２１が同相の場合、記憶手段ｄ１１からの読み出し要求ｃ１２５を受け付ける（Ｃ１受付）。スケーリング手段ｄ６からの出力ｃ１２０の方が位相が進んでいた場合（Ｙ進）、記憶手段ｄ３からの読み出し要求ｃ１０６があっても受け付けず、記憶手段ｄ１１からの読み出し要求ｃ１２５がある場合に受け付ける。スケーリング手段ｄｃ７からの出力ｃ１２１の方が位相が進んでいた場合（Ｃ進）、記憶手段ｄ３からの読み出し要求ｃ１０６がある場合に受け付け、記憶手段ｄ１１からの読み出し要求ｃ１２５があっても受け付けない。
【０１１２】
同様に、スケーリング手段ｄ１３、ｄ１４からの出力ｃ１３８、ｃ１３９が同相の場合、記憶手段ｄ１１からの読み出し要求ｃ１２５がある場合にはこれを受け付け、記憶手段ｄ１２からの読み出し要求ｃ１２７がある場合にはこれを受け付ける。スケーリング手段ｄ１３からの出力ｃ１３８の方が位相が進んでいた場合（Ｙ進）、記憶手段ｄ１１からの読み出し要求ｃ１２５があっても受け付けず、記憶手段ｄ１２からの読み出し要求ｃ１２７がある場合に受け付ける。スケーリング手段ｄ１４からの出力ｃ１３９の方が位相が進んでいた場合（Ｃ進）、記憶手段ｄ１１からの読み出し要求ｃ１２５がある場合に受け付け、記憶手段ｄ１２からの読み出し要求ｃ１２７があっても受け付けない。
【０１１３】
また、記憶手段ｄ３、ｄ１１からのそれぞれの読み出し要求ｃ１０６、ｃ１２５との関係、記憶手段ｄ４、ｄ１２からのそれぞれの読み出し要求ｃ１０７、ｃ１２６との関係は、上記第４の実施の形態と同様である。即ち、記憶手段ｄ３からのそれぞれの読み出し要求ｃ１０６、ｃ１２５が共に行われた時点で、調停手段ｄ５から記憶手段ｃ２への読み出し要求ｃ１０４をアクティブ(ハイレベル)とする。記憶手段ｄ４、ｄ１２からのそれぞれの読み出し要求ｃ１２５、ｃ１２７とが共に行われた時に、調停手段ｄ５から記憶手段ｃ１０への読み出し要求ｃ１１９をアクティブ(ハイレベル)とする。
【０１１４】
さらに、読み出し要求ｃ１２５がインアクティブ(ローレベル)で読み出し要求ｃ１０６がアクティブ(ハイレベル)の時は、スケーリング手段ｄ６への動作許可信号ｄ１１０をインアクティブ(ローレベル)とする。同様に、読み出し要求ｃ１０６がインアクティブ(ローレベル)で読み出し要求ｃ１２５がアクティブ(ハイレベル)の時は、動作許可信号ｄ１３０をインアクティブ(ローレベル)とする。
【０１１５】
読み出し要求ｃ１２７がインアクティブ(ローレベル)で読み出し要求ｃ１０７がアクティブ(ハイレベル)の時は、動作許可信号ｄ１１３をインアクティブ(ローレベル）とする。読み出し要求ｃ１０７がインアクティブ(ローレベル)で読み出し要求ｃ１２７がアクティブ(ハイレベル)の時は、動作許可信号ｄ１３３をインアクティブ(ローレベル)とする。
【０１１６】
記憶手段ｄ３とスケーリング手段ｄ６は、基本的には上記第４の実施の形態における記憶手段ｃ３とスケーリング手段ｃ６と同様に動作する。しかし、スケーリング手段ｄ６は、動作許可信号ｄ１１０がアクティブ(ハイレベル)の時に動作し、インアクティブ(ローレベル)の時に動作を停止する点が相違する。
【０１１７】
また記憶手段ｄ4とスケーリング手段ｄ７は、上記第４の実施の形態における記憶手段ｃ４とスケーリング手段ｃ７と同様な動作を行う。しかし、スケーリング手段ｄ７は、動作許可信号ｄ１１３がアクティブ(ハイレベル)の時動作し、インアクティブ(ローレベル)の時動作を停止する。
【０１１８】
同様に、記憶手段ｄ１１とスケーリング手段ｄ１３は、基本的な動作は上記第４の実施の形態における記憶手段ｃ１１とスケーリング手段ｃ１３と同様であるが、スケーリング手段ｄ１３は、動作許可信号ｄ１３０がアクティブ(ハイレベル)の時に動作し、インアクティブ(ローレベル)の時に動作を停止する。
【０１１９】
また記憶手段ｄ１２とスケーリング手段ｄ１４は、スケーリング手段ｄ１４は、動作許可信号ｄ１３３がアクティブ(ハイレベル)の時に動作し、インアクティブ(ローレベル)の時は動作を停止する。
【０１２０】
本実施の形態においても、上記第４の実施の形態と同様に、処理が遅い方にタイミングを合わせて画像情報を一括して同時に転送することにより、重複した画像データの読み出しが回避され、記憶手段ｃ２、ｃ１０からのそれぞれの出力幅が最小の幅で足りると共に、記憶手段ｄ３、ｄ４、ｄ１１、ｄ１２の容量の増大も防止され、コスト低減に寄与することができる。
【０１２１】
（６）第６の実施の形態
上記第４、第５の実施の形態では、画像情報に輝度情報と色情報とがあり、それぞれの情報の処理のタイミングの相違を検出し、両方の情報の転送のタイミングを一致させるように制御している。
【０１２２】
しかし、輝度情報（Ｙ）と２種類の色差情報(Ｃｂ、Ｃｒ)、あるいは赤情報(Ｒ)、緑情報(Ｇ)、青情報(Ｂ)等、３つ以上の情報を画像情報が備えている場合も、各情報の処理タイミングの位相差を検出し、それぞれの処理タイミングを合わせることで各情報の転送のタイミングを一致させてもよい。
【０１２３】
図１０に、本実施の形態による画像処理装置が備える構成を示す。本実施の形態では、画像情報にｍ（ｍは、３以上の整数）種類の情報（第１、第２、…、第ｍの情報）が存在する。記憶手段ｅ１から、それぞれｍ個の記憶手段ａ２、ｅ３、…、ｅ１０へ対応する第１、第２、…、第ｍの情報が転送されて記憶される。フィルタとして、ｐ（ｐは２以上の整数）個のフィルタＦ１、…、Ｆ２が設けられており、フィルタＦ１にｍ個の画像処理手段ｅ２００、ｅ２０１、…、ｅ２０２、フィルタＦ２にｍ個の画像処理手段ｅ２０３、ｅ２０４、…、ｅ２０５が設けられている。各フィルタＦ１、…、Ｆ２毎に、第１〜第ｍの画像情報に対して異なるスケーリング処理を行う。
【０１２４】
画像処理手段ｅ２００は、記憶手段ｅ２から第１の情報を読み出して記憶する記憶手段ｅ１１と、記憶された第１の情報を読み出してスケーリング処理を行うスケーリング手段ｅ１７とを有し、画像処理手段ｅ２０１は、記憶手段ｅ３から第２の情報を読み出して記憶する記憶手段ｅ１２と、記憶された第２の情報を読み出してスケーリング処理を行うスケーリング手段ｅ１８とを有し、…、画像処理手段ｅ２０２は、記憶手段ｅ１０から第ｍの情報を読み出して記憶する記憶手段ｅ１３と、記憶された第ｍの情報を読み出してスケーリング処理を行うスケーリング手段ｅ１９とを有する。
【０１２５】
同様に、画像処理手段ｅ２０３は、記憶手段ｅ２から第１の情報を読み出して記憶する記憶手段ｅ１４と、記憶された第１の情報を読み出してスケーリング処理を行うスケーリング手段ｅ２０とを有し、画像処理手段ｅ２０４は、記憶手段ｅ３から第２の情報を読み出して記憶する記憶手段ｅ１５と、記憶された第２の情報を読み出してスケーリング処理を行うスケーリング手段ｅ２１とを有し、…、画像処理手段ｅ２０５は、記憶手段ｅ１０から第ｍの情報を読み出して記憶する記憶手段ｅ１６と、記憶された第ｍの情報を読み出してスケーリング処理を行うスケーリング手段ｅ２２とを有する。
【０１２６】
各々の記憶手段ｅ１、ｅ２、ｅ３、ｅ８、ｅ１０、ｅ１１〜ｅ１６、スケーリング手段ｅ１７〜ｅ２２動作及び相互間の信号に送受信に関しては、上記第１〜第５の実施の形態と同様であり、説明を省略する。
【０１２７】
記憶手段ｅ２から記憶手段ｅ１１、…、ｅ１４、記憶手段ｅ３から記憶手段ｅ１２、…、ｅ１５、記憶手段ｅ１０から記憶手段ｅ１３、…、ｅ１６への第１、第２、…、第ｍの画像情報が転送されるタイミングについて述べる。
【０１２８】
位相検出手段ｅ２１１、…、ｅ２１２がフィルタＦ１〜Ｆ２と同数設けられており、それぞれフィルタ毎にスケーリング手段ｅ１７〜ｅ１９、…、ｅ２０〜ｅ２２からの出力の位相のずれを検出して、位相検出信号ｅ１８１、…、ｅ１８２を調停手段ｅ５に出力する。
【０１２９】
また、各記憶手段ｅ１１、ｅ１２、…ｅ１３、…、ｅ１４、ｅ１５、…ｅ１６は、対応するスケーリング手段ｅ１７〜ｅ２２の処理が終了するとそれぞれのタイミングに従って、読み出し要求ｅ１３１、ｅ１３２、…、ｅ１３３、ｅ１３４、ｅ１３５、…、ｅ１３６を調停手段ｅ５に出力する。
【０１３０】
調停手段ｅ５は、位相検出信号ｅ１８１〜ｅ１８２に基づいて、読み出し要求ｅ１３１〜ｅ１３６の受付の有無を決定する。例えば、位相検出手段ｅ２１１において、スケーリング手段ｅ１７〜ｅ１９からの出力が全て同相である場合には、対応するいずれかの記憶手段から読み出し要求があった場合には、その要求を受け付ける。
【０１３１】
スケーリング手段ｅ１７〜ｅ１９からの出力が同相でなく、例えばスケーリング手段ｅ１７の出力が最も進んでいる場合は、このスケーリング手段ｅ１７に対応した記憶手段ｅ１１の読み出し要求ｅ１３１のみを受け付けず、他の遅れているｍ−１個のスケーリング手段ｅ１８〜ｅ１９に対応した記憶手段ｅ１２〜ｅ１３からの読み出し要求ｅ１３２〜ｅ１３３を受け付ける。
【０１３２】
ここで、例えば出力が１番進んでいるスケーリング手段からｊ（ｊは２以上でｍ−１以下の整数）番目のスケーリング手段に対応した記憶手段からの要求は受け付けず、ｊ＋１番目以降のスケーリング手段に対応した記憶手段からの要求を受け付けるようにしてもよい。
【０１３３】
このスケーリング手段の出力の位相と記憶手段からの読み出し要求の受付との関係は、他のフィルタにおいても同様である。
【０１３４】
そして画像情報毎に、例えば記憶手段ｅ１１、…、ｅ１４からの読み出し要求が全て受け付けられた場合に、記憶手段ｅ２からこの記憶手段ｅ１１、…、ｅ１４へ第１の画像情報が同時に転送される。他の第２、…、第ｍの画像情報の転送制御も同様である。
【０１３５】
本実施の形態においても、上記第１〜第５の実施の形態と同様に、処理の遅いスケーリング手段に対応した記憶手段からの読み出し要求に合わせて同一種類の画像情報を一括して転送することにより、重複した画像情報の読み出しを回避することができる。
【０１３６】
上述した実施の形態はいずれも一例であり、本発明を限定するものではない。例えば、画像処理の内容は、図２に示されたような水平サイズを縮小、拡大するものに限らず、他の処理に関するものであってもよい。
【０１３７】
【発明の効果】
以上説明したように、本発明の画像処理方法及びその装置によれば、記憶手段から複数の処理手段が画像情報を読み出して処理を行う場合、重複した画像情報の読み出しが防止され、記憶手段から読み出す画像情報量を低減することができると共に、記憶手段から処理手段に画像情報を転送する際に画像情報を一時的に保持する記憶手段の容量を縮小することができ、コスト低減が達成される。
【図面の簡単な説明】
【図１】本発明の第１の実施の形態による画像処理装置の構成を示したブロック図。
【図２】同画像処理装置における第１、第２のスケーリング手段の処理内容を示した説明図。
【図３】同画像処理装置における各信号の波形の変化を示したタイムチャート。
【図４】本発明の第２の実施の形態による画像処理装置の構成を示したブロック図。
【図５】本発明の第３の実施の形態による画像処理装置の構成を示したブロック図。
【図６】本発明の第４の実施の形態による画像処理装置の構成を示したブロック図。
【図７】同画像処理装置における位相検出と読み出し要求受付との関係を示した説明図。
【図８】本発明の第５の実施の形態による画像処理装置の構成を示したブロック図。
【図９】同画像処理装置における位相検出と読み出し要求受付との関係を示した説明図。
【図１０】本発明の第６の実施の形態による画像処理装置の構成を示したブロック図。
【図１１】従来の画像処理装置の構成を示したブロック図。
【符号の説明】
ａ１〜ａ４、ａ８、ｂ３〜ｂ４、ｃ１〜ｃ４、ｃ８、ｃ１０〜ｃ１２、ｄ３〜ｄ７、ｄ１１〜ｄ１４  記憶手段
ａ５、ｂ５、ｃ５、ｄ５  調停手段
ａ６〜ａ７、ｂ６〜ｂ７、ｃ６〜ｃ７、ｃ１３〜ｃ１４、ｄ６〜ｄ７、ｄ１３〜ｄ１４  スケーリング手段
ａ２００〜ａ２０１、ｂ２００〜ｂ２０１、ｃ２００〜ｃ２０３、ｄ２００〜ｄ２０３  画像処理手段
ｃ９、ｃ１５  位相検出手段
【図１】
0004073169.tif 000002
【図２】
0004073169.tif 000003
【図３】
0004073169.tif 000004
【図４】
0004073169.tif 000005
【図５】
0004073169.tif 000006
【図６】
0004073169.tif 000007
【図７】
0004073169.tif 000008
【図８】
0004073169.tif 000009
【図９】
0004073169.tif 000010
【図１０】
0004073169.tif 000011
【図１１】
0004073169.tif 000012